【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
発泡材により製造された固定マット本体と、上記本体に設けられる１個又は互いに間隔を置いた複数の成形溝とを備えるフライ又はベイト用の固定マットであって、
上記成形溝は、上記本体の厚み方向に沿って上記本体を貫通し、上記成形溝の一端又はその近傍に抵抗低減スリットが設けられ、又は上記成形溝の一端にカッティングスリットが連結されており、カッティングスリットが連結された成形溝が開口し、上記抵抗低減スリットとカッティングスリットは、上記本体の厚み方向に沿って上記本体を貫通することを特徴とするフライ又はベイト用の固定マット。
【請求項２】
発泡材により製造された固定マット本体と、上記本体に設けられる１個又は互いに間隔を置いた複数の成形溝とを備えるフライ又はベイト用の固定マットであって、
上記成形溝は、上記本体の厚み方向に沿って上記本体を貫通し、各上記成形溝の一端に上記本体の厚み方向に沿って上記本体を貫通するカッティングスリットが連結されており、上記本体は、上記カッティングスリットと交差する抵抗低減スリットをさらに備え、上記抵抗低減スリットは、上記本体の厚み方向に沿って上記本体を貫通し、或いは上記成形溝は、上記本体の厚み方向に沿って上記本体を貫通し、各上記成形溝の両端に上記本体の厚み方向に沿って上記本体を貫通するカッティングスリットが連結されていることを特徴とするフライ又はベイト用の固定マット。
【請求項３】
請求項１に記載のフライ又はベイト用の固定マットにおいて、上記抵抗低減スリットは、上記成形溝の縦方向での延在方向と交差する方向に沿って延在することを特徴とするフライ又はベイト用の固定マット。
【請求項４】
請求項１又は２に記載のフライ又はベイト用の固定マットにおいて、上記成形溝に対応して設けられる1個又は互いに間隔を置いた複数の付加成形溝をさらに備え、上記付加成形溝の一端は1つの中間カッティングスリットによって上記成形溝に連結されているとともに、他端にはもう1つのカッティングスリットが連結されており、上記付加成形溝及びカッティングスリットは、ともに上記本体の厚み方向に沿って上記本体を貫通することを特徴とするフライ又はベイト用の固定マット。
【請求項５】
請求項１又は２に記載のフライ又はベイト用の固定マットにおいて、Ｒ字状又はＬ字状のスピナーベイトルアーの固定に用いるように、1つの上記成形溝に連結されるカッティングスリットと、もう1つの上記成形溝に連結されるカッティングスリットとを反対向きにすることを特徴とするフライ又はベイト用の固定マット。
【請求項６】
請求項１又は２に記載のフライ又はベイト用の固定マットにおいて、上記成形溝は、サイズ増大部を備えることを特徴とするフライ又はベイト用の固定マット。
【請求項７】
請求項１又は２に記載のフライ又はベイト用の固定マットにおいて、上記成形溝には、横断面面積の小さい成形溝部分が設けられることを特徴とするフライ又はベイト用の固定マット。
【請求項８】
請求項１又は２に記載のフライ又はベイト用の固定マットにおいて、一端にカッティングスリット又は抵抗低減スリットが連結される上記成形溝の他端で開口し、かつフック部を収納するためのフック溝に連通させていることを特徴とするフライ又はベイト用の固定マット。
【請求項９】
請求項８に記載のフライ又はベイト用の固定マットにおいて、上記フック溝の横断面面積は上記成形溝の横断面面積よりも大きいことを特徴とするフライ又はベイト用の固定マット。
【請求項１０】
請求項８に記載のフライ又はベイト用の固定マットにおいて、各上記成形溝と、対応するフック溝との間は仕切り溝によってそれぞれ連通されており、上記仕切り溝の横断面面積が、対応するフック溝の横断面面積よりも小さいことを特徴とするフライ又はベイト用の固定マット。
【請求項１１】
請求項１又は２に記載のフライ又はベイト用の固定マットにおいて、1つのカッティングスリットによって連結される直列配置の2つの成形溝が設けられており、かつ上記2つの成形溝の連結していない端部には、上記本体の厚み方向に沿って上記本体を貫通する2つのカッティングスリットがそれぞれ設けられていることを特徴とするフライ又はベイト用の固定マット。
【請求項１２】
請求項１、２、５、８又は１１に記載のフライ又はベイト用の固定マットにおいて、上記成形溝と、それに連結するカッティングスリットとの間には、ガイド部が設けられており、上記ガイド部は、Ｖ字状、弧形状又は矩形状であることを特徴とするフライ又はベイト用の固定マット。
【請求項１３】
請求項１又は２に記載のフライ又はベイト用の固定マットにおいて、上記カッティングスリットには、抵抗低減スリットが設けられていることを特徴とするフライ又はベイト用の固定マット。
【請求項１４】
請求項１〜２、５、８、１１の何れか1項に記載のフライ又はベイト用の固定マットにおいて、上記抵抗低減スリットは、上記カッティングスリットの上記成形溝から離れた一端又はその近傍に設けられていることを特徴とするフライ又はベイト用の固定マット。
【請求項１５】
請求項１、２〜５、１２、１３又は１４に記載のフライ又はベイト用の固定マットにおいて、上記カッティングスリットに抵抗低減スリットが設けられており、抵抗低減スリット及びカッティングスリットは、Ｔ字状、Ｙ字状、十字状又は矢印の形状に組み合わされることを特徴とするフライ又はベイト用の固定マット。
【請求項１６】
請求項１５に記載のフライ又はベイト用の固定マットにおいて、上記抵抗低減スリット及びカッティングスリットは、Ｔ字状、Ｙ字状、十字状又は矢印の形状に組み合わされ、上記カッティングスリットは互いに間隔を置いたことを特徴とするフライ又はベイト用の固定マット。
【請求項１７】
請求項２又は５に記載のフライ又はベイト用の固定マットにおいて、Ｒ字状又はＬ字状のスピナーベイトルアーを固定するための固定マットの厚みは、5mmより大きいことを特徴とするフライ又はベイト用の固定マット。
【請求項１８】
請求項１又は２に記載のフライ又はベイト用の固定マットにおいて、互いに間隔を置いた各成形溝は、フライ又はベイトの位置決めや固定、フライ又はベイトのフック部の位置決めや、カッティングスリットへの加速押し入れ、又はチューブフライの固定、又はベイトボディの固定、又はベイトボディの圧水板の固定、又はスプーンブレード又はスピナーベイトルアーブレードの位置決めや固定、又はスピナーフライ又はスピナーベイトルアーの一端の載置に用いられることを特徴とするフライ又はベイト用の固定マット。
【請求項１９】
請求項１又は２に記載のフライ又はベイト用の固定マットにおいて、上記本体の裏面、かつ上記成形溝及び上記カッティングスリットの外側には、接着剤又は両面テープが貼られていることを特徴とするフライ又はベイト用の固定マット。
【請求項２０】
請求項８に記載のフライ又はベイト用の固定マットにおいて、複数の上記成形溝の上記フック溝は、互いに連通して共用のフック溝を構成していることを特徴とするフライ又はベイト用の固定マット。
【請求項２１】
ブレードを有するフライ又はベイトを、発泡材により製造された固定マット本体と、上記本体に設けられかつ上記本体を貫通する互いに間隔を置いた複数のカッティングスリットとを備える固定マットに固定する方法であって、
フライ又はベイトのフック部を1つのカッティングスリットに入れるステップ、及び
ブレードを同一のカッティングスリット、又は本体に設けられるもう1つのカッティングスリットに圧入するステップを含む方法。
【請求項２２】
フック先が1個より多いフック部を一端に有するフライ又はベイトを、請求項１〜２０のいずれか1項に記載の固定マットに固定する方法であって、
一端のフック部のフック先をフック溝に合わせ、引き入れて固定するステップ、及び
フライ又はベイトのボディ、又は圧水板、又はブレードを成形溝又はカッティングスリットに圧入するステップを含む方法。
【請求項２３】
チューブフライを、発泡材により製造された固定マット本体と、上記本体に設けられる互いに間隔を置いた複数の成形溝とを備え、上記成形溝に抵抗低減スリット又はカッティングスリットが設けられ、抵抗低減スリット又はカッティングスリットが連結されている成形溝の他端が開口している固定マットに固定する方法であって、
チューブフライを、開口する、抵抗低減スリット又はカッティングスリットが付いた成形溝に圧入して固定するステップを含む方法。
【請求項２４】
発泡材により製造された固定マット本体と、上記本体に設けられる1個又は互いに間隔を置いた複数の成形溝とを備えるフライ又はベイト用の固定マットであって、
各上記成形溝の一端にカッティングスリット又は抵抗低減スリットが連結されており、上記成形溝は他端で開口していることを特徴とするフライ又はベイト用の固定マット。
【請求項２５】
請求項２４に記載のフライ又はベイト用の固定マットにおいて、上記抵抗低減スリットは、上記成形溝の縦方向での延在方向と交差する方向に沿って延在することを特徴とするフライ又はベイト用の固定マット。
【請求項２６】
請求項２４に記載のフライ又はベイト用の固定マットにおいて、上記カッティングスリットには、抵抗低減スリットが設けられていることを特徴とするフライ又はベイト用の固定マット。
【請求項２７】
請求項２６に記載のフライ又はベイト用の固定マットにおいて、上記抵抗低減スリット及びカッティングスリットは、Ｔ字状、Ｙ字状、十字状又は矢印の形状に組み合わされることを特徴とするフライ又はベイト用の固定マット。
【請求項２８】
請求項２７に記載のフライ又はベイト用の固定マットにおいて、上記抵抗低減スリット及びカッティングスリットは、Ｔ字状、Ｙ字状、十字状又は矢印の形状に組み合わされ、上記カッティングスリットは互いに間隔を置いたことを特徴とするフライ又はベイト用の固定マット。
【請求項２９】
フライ又はベイトを、請求項１〜２０、２４〜２８のいずれか1項に記載のフライ又はベイト用の固定マットに固定する方法であって、
使用者は、フック先が下方に位置しかつカッティングスリットから離れた成形溝の一端に向くように、フライ又はベイトを手に持ち、成形溝に入れ、その勢いでフライ又はベイトをカッティングスリットに押し入れれば、固定することができ、より速い速度でフライ又はベイトを挿入することができる方法１、又は
使用者は、フック先が下方に位置しかつカッティングスリットの方向に向くように、フライ又はベイトを手に持ち、成形溝に入れ、その勢いでフライ又はベイトをカッティングスリットに引き入れれば、固定することができる方法２、又は
使用者は、フック先が下方に位置しかつカッティングスリットから離れた成形溝の一端に向くように、フライ又はベイトを手に持ち、フック部を成形溝とカッティングスリットとの接続箇所の上方に位置させ、その勢いでフライ又はベイトをカッティングスリットに押し入れれば、固定することができる方法３、又は
使用者は、フック先が下方に位置しかつカッティングスリットの方向に向くように、フライ又はベイトを手に持ち、フック先を固定マット本体の下方に位置させるように成形溝に入れ、その勢いでフライ又はベイトをカッティングスリットに引き入れれば、固定することができ、或いは引き入れなくても固定することができる方法４を含むことを特徴とする方法。